(57)【特許請求の範囲】
【請求項１】
（ａ）チャンバを画定し、かつ開口を有するハウジングと、（ｂ）チャンバの外側にあってハウジングに隣接するＬＥＤモジュールとを含むＬＥＤ照明取付具において、
ＬＥＤモジュールは、（ｂ１）複数のＬＥＤパッケージを上側に装着した取付板、および（ｂ２）取付板の上方に設けたカバーであって、モジュール内部を形成し、ＬＥＤパッケージを露出させるカバーを有し、
ＬＥＤモジュールとハウジングとの間にあり、モジュール内部とチャンバとの間の通路を画定する剛体電線路をさらに含み、剛体電線路はＬＥＤモジュールの一端からチャンバ内に延在し、さらに剛体電線路はハウジングの開口の周りに密封係合する遠位端を含むＬＥＤ照明取付具。
【請求項２】
剛体電線路がＬＥＤモジュールと一体である、請求項１に記載のＬＥＤ照明取付具。
【請求項３】
剛体電線路がカバーと一体である、請求項２に記載のＬＥＤ照明取付具。
【請求項４】
モジュール内部とチャンバとの間の通路が防水性である、請求項１に記載のＬＥＤ照明取付具。
【請求項５】
剛体電線路がＬＥＤモジュールと一体である、請求項４に記載のＬＥＤ照明取付具。
【請求項６】
剛体電線路がカバーと一体である、請求項５に記載のＬＥＤ照明取付具。
【請求項７】
カバーが、主平面部分と、主平面部分の周りにあり取付板の方に延びる縁部部分とを含み、カバーと一体形成された剛体電線路が縁部部分からハウジングの方に延びる、請求項６に記載のＬＥＤ照明取付具。
【請求項８】
モジュール内部に配置され、ＬＥＤパッケージを露出させるガスケット層をさらに含む、請求項１に記載のＬＥＤ照明取付具。
【請求項９】
ガスケット層がスポンジ・ガスケットである、請求項８に記載のＬＥＤ照明取付具。
【発明の詳細な説明】
【技術分野】
【０００１】
本発明は、一般に、ＬＥＤ照明取付具に関し、より詳細には、ＬＥＤアレイの多数のＬＥＤに役立つための付随した複雑な配線を備えたマルチＬＥＤ照明取付具に関する。
【背景技術】
【０００２】
照明の分野において、多くの異なるタイプの光源が開発されている。最近、各々が多数のＬＥＤパッケージを備えたマルチＬＥＤアレイを含むＬＥＤ光源が、ＬＥＤ照明の多くの利点（ＬＥＤ効率および長寿命）を一般照明分野にもたらす手段として開発されている。特に、そのようなＬＥＤ照明取付具は、例として、駐車場、道路、展示区域、および他の大きい区域のための照明を含む屋外環境で使用するために開発されている。
【０００３】
多数のＬＥＤがそのようなＬＥＤ照明取付具に含まれるので、固定配線および環境からの配線の保護は特別な問題である。さらに、そのようなシステムのマルチＬＥＤモジュールから大きい熱放散がある場合、ＬＥＤモジュールの防水性エンクロージャは好ましくなく、そのために、風雨から多数の電線および接続を保護する問題を潜在的に悪化させる。ＬＥＤモジュールからの配線はＬＥＤドライバなどの電子要素を密封する好ましくは防水性のハウジング内に配線されなければならないゆえに、および多数の電線が含まれるゆえに、適切な機構および密封係合を設けることが問題となることがある。
【発明の概要】
【発明が解決しようとする課題】
【０００４】
本発明の目的は、上記で言及したものを含む従来技術の問題および欠点のいくつかを克服する、ＬＥＤ光源を利用する改良された照明取付具を提供することである。
【０００５】
本発明の別の目的は、ＬＥＤモジュールとハウジングとの間に固定接続を与える、ＬＥＤ光源を利用する改良された照明取付具を提供することである。
【０００６】
本発明の別の目的は、ＬＥＤモジュールおよびハウジングに連続的な密封環境を与える、ＬＥＤ光源を利用する改良された照明取付具を提供することである。
【０００７】
本発明の別の目的は、様々なハウジング・ユニットに適合することができる一体化剛体電線路をもつユニバーサル・カバー部片を供給する、ＬＥＤ光源を利用する改良された照明取付具を提供することである。
【０００８】
本発明の別の目的は、マルチＬＥＤアレイ照明取付具に必要とされる多数の電線のための電線路を提供することである。
【０００９】
どのようにこれらおよび他の目的が達成されるかは、以下の説明および図面から明らかになるであろう。
【課題を解決するための手段】
【００１０】
ＬＥＤ照明取付具の一実施形態において、取付具は、チャンバを画定するハウジングと、チャンバの外側にあり、ハウジングに隣接しているＬＥＤモジュールとを含む。ＬＥＤモジュールは、上に取り付けられた複数のＬＥＤパッケージをもつ取付板と、取付板の上方のカバーとを含む。カバーおよび取付板は一緒にモジュール内部を形成し、カバーはＬＥＤパッケージを露出させるように構成される。この照明取付具の改良には、ＬＥＤモジュールとハウジングとの間にあり、モジュール内部とチャンバとの間の通路を画定する剛体電線路が含まれる。
【００１１】
第２の実施形態では、ＬＥＤ照明取付具はＬＥＤモジュールと一体である剛体電線路を含む。
【００１２】
別の実施形態では、ＬＥＤ照明取付具のハウジングは開口を有し、電線路は開口の周りに密封係合する遠位端を含む。
【００１３】
さらなる別の実施形態では、ＬＥＤ照明取付具の剛体電線路はカバーと一体である。
【００１４】
さらなる実施形態では、内部とチャンバとの間のＬＥＤ照明取付具の通路は防水性である。
【００１５】
さらなる実施形態では、ＬＥＤ照明取付具のカバーは主平面部分と、それの周りにあり、取付板の方に延びる縁部部分とを含む。一体形成された剛体電線路は縁部部分からハウジングの方に延びる。
【００１６】
別の実施形態では、ＬＥＤ照明取付具は、モジュール内部内に配置されたガスケット層を含み、ＬＥＤパッケージを露出させるように構成される。この実施形態の変形では、ガスケット層はスポンジ層である。
【００１７】
「ＬＥＤモジュールと一体である」という句は、ＬＥＤモジュールの任意の個々の部片と一体であるか、または多数の部片と一体であることを意味する。
【図面の簡単な説明】
【００１８】
【図１】ＬＥＤ照明取付具の好ましい実施形態の斜視図である。
【図２】図１のＬＥＤ照明取付具の分解図である。
【図３】図１のＬＥＤ照明取付具の平面図である。
【図４】線Ｉ−Ｉに沿って見た図３のＬＥＤ照明取付具の断面図である。
【図５】図４のハウジング、ＬＥＤモジュール、および剛体電線路の間の相互作用の拡大断面図である。
【発明を実施するための形態】
【００１９】
図１はＬＥＤ照明取付具１０の好ましい実施形態を示す。照明取付具１０はハウジング２０、ＬＥＤモジュール３０、ヒートシンク５０、および剛体電線路６０を含む。
【００２０】
図２で最も良く分かるように、ＬＥＤモジュール３０は複数の層で構成される。基層は、照明取付具１０の光源である複数のＬＥＤパッケージ３４を含む取付板３２である。パッケージ３４は回路（図示せず）によって相互接続され、取付板３２はハウジング２０に最も近い取付板３２の端部から延びる電線（図示せず）をさらに含む。
【００２１】
ＬＥＤモジュール３０は、取付板３２上の露出した回路を覆うアルミニウム層３６をさらに含む。この好ましい実施形態では、二次レンズ３８がＬＥＤパッケージ３４を覆い、光が照明取付具１０から放出される方法を制御するのに役立つことができる。次に、この実施形態ではスポンジ・ガスケットであるガスケット層４０が二次レンズ３８の上に配置され、ＬＥＤを露出させるためにＬＥＤパッケージ３４および二次レンズ３８の周りに適合する開口４１を含む。
【００２２】
最後に、カバー４２は主平面部分４４と、主平面部分４４の周りにあり、取付板３２の方に延びる縁部部分４６とを含む。カバー４２はネジ孔４７およびＬＥＤ孔４８をさらに含む。カバー４２および取付板３２が一緒にして配置されると、それらはモジュール内部を形成し、その中にＬＥＤモジュール３０の他の層がはまり込む。ネジ４９を使用してＬＥＤモジュール３０を一緒に固定する。
【００２３】
ヒートシンク５０がＬＥＤモジュール３０にさらに接続される。ヒートシンク５０はＬＥＤパッケージ３４の反対側で取付板３２に接続され、ＬＥＤパッケージ３４によって生成された熱を消散させるのに役立つ。ヒートシンク５０は、熱を消散するのに役立つ表面積を設けるためにＬＥＤモジュール３０から離れて延びる複数のフィン５２を含む。
【００２４】
ハウジング２０は図では局部的なハウジングとして示されており、ハウジング２０には、防水性であり、内側にチャンバ２４を画定する外部シェル２２が含まれる。さらに、外部シェル２２は、剛体電線路６０を通してＬＥＤモジュール３０に接続するための開口２６を画定する。ハウジングのチャンバ２４は、取付具１０のための配線がＬＥＤモジュール３０まで通過する場所である。ハウジング２０の防水性が配線およびいかなる他の敏感な機器も風雨から保護する。
【００２５】
図４および５で最も良く分かる剛体電線路６０はハウジング２０とＬＥＤモジュール３０とを相互接続する。この好ましい実施形態では、剛体電線路６０は管形状であり、通路６２を画定する。電線路６０は好ましくは金属で製作され、その剛体の性質により配線用の固定した強固な内部通路６２が照明取付具１０に与えられる。電線路６０は、ＬＥＤモジュール３０に取り付けられた近位端６４と、ハウジング２０につながる遠位端６６とを含む。この好ましい実施形態では、近位端６４はＬＥＤモジュール３０のカバー４２と一体であり、その結果、ＬＥＤモジュール３０を防水密封する。遠位端６６とハウジング２０との間にシール６８を配置して、部片間の防水密封を行う。シールと一体化部片のこの組合せは、ＬＥＤモジュール３０の内部とハウジング２０との間に連続的な密封環境を与える。密封環境のために、より細い電線を、取付板３２から電線路６０を通ってハウジング２０内に延びるように使用することができる。
【００２６】
本発明の原理が特定の実施形態に関連して図示および説明されたが、そのような実施形態は例としてのものであり、限定するものでないことが理解されるべきである。
【図１】
0005384478.tif 000002
【図２】
0005384478.tif 000003
【図３】
0005384478.tif 000004
【図４】
0005384478.tif 000005
【図５】
0005384478.tif 000006